(57)【要約】【課題】建物内の空気の熱および地中熱を同時に融雪に利用できる地中熱利用の換気システムを用いた融雪装置を提供すること。【解決手段】空気を吸い込んで送風する換気装置１５と、換気装置１５に連通し建物１外の外気を建物１内に給気する給気風路（給気ダクト２１、空気案内パイプ１０２ａ，１０２ｂ）と、換気装置１５に連通し建物１内の空気を建物１外に排気する排気風路（排気ダクト２７，融雪用パイプ２８）と、地中に埋設され且つ給気風路と排気風路の一方の途中に設けられた熱交換装置（空気ダクト１０２）と、を備えている。しかも、排気風路の排気口２８ａは建物１外部の積雪部に向けて排出可能に設けられている。【選択図】  図１
2014081099.tif 000002
【特許請求の範囲】
【請求項１】
空気を吸い込んで送風する換気装置と、
前記換気装置に連通し建物外の外気を前記建物内に給気する給気風路と、
前記換気装置に連通し前記建物内の空気を前記建物外に排気する排気風路と、
地中に埋設され且つ前記給気風路と排気風路の一方の途中に設けられた熱交換装置と、を備え、
前記排気風路の排気口は前記建物外部の積雪部に向けて排出可能に設けられていることを特徴とする地中熱利用の換気システムを用いた融雪装置。
【請求項２】
請求項１に記載の地中熱利用の換気システムを用いた融雪装置において、前記換気装置の送風方向を切り換える送風切換手段を設けたことを特徴とする地中熱利用の換気システムを用いた融雪装置。
【請求項３】
請求項２に記載の地中熱利用の換気システムを用いた融雪装置において、前記送風切り換え手段は前記換気装置内の送風ファンを駆動する駆動モータの回転方向を切り替え制御する制御手段であることを特徴とする地中熱利用の換気システムを用いた融雪装置。
【請求項４】
請求項２に記載の地中熱利用の換気システムを用いた融雪装置において、前記換気装置は前記給気風路が接続される第１の接続口と前記排気風路が接続される第２の接続口を備え、前記送風切り換え手段は前記給気風路および前記排気風路に対して前記第１の接続口および前記第２の接続口の接続を切り換え接続をさせる風路切換弁であることを特徴とする地中熱利用の換気システムを用いた融雪装置。
【請求項５】
請求項１に記載の地中熱利用の換気システムを用いた融雪装置において、前記熱交換装置は前記給気風路の途中に設けられていることを特徴とする地中熱利用の換気システムを用いた融雪装置。
【請求項６】
請求項１に記載の地中熱利用の換気システムを用いた融雪装置において、前記熱交換装置は前記排気風路の途中に設けられていることを特徴とする地中熱利用の換気システムを用いた融雪装置。
【発明の詳細な説明】
【技術分野】
【０００１】
この発明は、建物の地中熱利用の換気システムを用いた融雪装置に関するものである。
【背景技術】
【０００２】
従来、建物周囲の地中に地表面近くに位置させて融雪管を埋設し、地中に熱交換パイプからなる地中熱交換器を埋設し、融雪管と地中熱交換器とを循環ポンプを介して液体が循環可能に接続する一方、この地中熱交換器からの地中熱で建物内の空気の冷却を行わせる空気冷却器を設けた融雪・冷房装置が知られている（例えば、特許文献１参照）。
【先行技術文献】
【特許文献】
【０００３】
【特許文献１】特開２００５−２１４５８１号公報
【発明の概要】
【発明が解決しようとする課題】
【０００４】
しかし、この融雪・冷房装置では、空気冷却器が夏期に単に室内の空気の冷却を行うようにしているのみであるので、建物内の空気の熱および地中熱を同時に融雪に利用できないものであった。
【０００５】
そこで、この発明は、建物内の空気の熱および地中熱を同時に融雪に利用できる地中熱利用の換気システムを用いた融雪装置を提供することを目的とするものである。
【課題を解決するための手段】
【０００６】
この目的を達成するため、この発明の地中熱利用の換気システムを用いた融雪装置は、空気を吸い込んで送風する換気装置と、前記換気装置に連通し建物外の外気を前記建物内に給気する給気風路と、前記換気装置に連通し前記建物内の空気を前記建物外に排気する排気風路と、地中に埋設され且つ前記給気風路と排気風路の一方の途中に設けられた熱交換装置と、を備え、前記排気風路の排気口は前記建物外部の積雪部に向けて排出可能に設けられていることを特徴とする。
【発明の効果】
【０００７】
この構成によれば、建物内の空気の熱および地中熱を同時に融雪に利用できる。
【図面の簡単な説明】
【０００８】
【図１】この発明に係る地中熱利用の換気システムを用いた融雪装置を備える建物の説明図である。
【図２】（ａ）は図１に示した換気装置の送風装置の斜視図、（ｂ）は（ａ）のＡ１−Ａ１線に沿う断面図である。
【図３】図１に示した融雪装置の冬期における作用説明図である。
【図４】図１に示した融雪装置の夏期における作用説明図である。
【図５】この発明に係る地中熱利用の換気システムを用いた融雪装置を備える建物の他の例を示す説明図である。
【図６】図１に示した融雪装置の冬期における作用説明図である。
【図７】図６に示した換気装置における送風装置の他の例を示す説明図である。
【図８】図６に示した換気装置における送風装置の更に他の例を示す説明図である。
【図９】この発明に係る地中熱利用の換気システムを用いた融雪装置を備える建物の更に他の例を示す説明図である。
【図１０】図９に示した地中熱利用の換気システムを用いた融雪装置を備える建物の更に他の例を示す説明図である。
【発明を実施するための形態】
【０００９】
以下、この発明の実施の形態を図面に基づいて説明する。
（実施例１）
以下、この発明の実施の形態１の建物の換気システムを図面に基づいて説明する。
[構成]
図１の地面１００の地表面１００ａ上には基礎断熱構造であるべた基礎１０１が設けられ、この地表面１００ａの下方の地中１００ｂ内にはべた基礎１０１の真下に位置させて地中熱利用のための熱交換パイプである空気ダクト（熱交換装置）１０２が埋設されている。この空気ダクト１０２は、べた基礎１０１に沿って地中１００ｂに水平に埋設されている。また、この空気ダクト１０２の両端には、地表面１００ａから地上に突出する空気案内パイプ１０２ａ，１０２ｂの一端が接続されている。尚、空気案内パイプ１０２ａ，１０２ｂの内部の風路は給気風路として用いられる。
【００１０】
また、べた基礎１０１は、底板１０１ａと、底板１０１ａから立ち上がる基礎１０１ｂを有する。しかも、べた基礎１０１の周縁に沿って基礎断熱部材１０３が設けられている。この基礎断熱部材１０３は、基礎１０１ｂの内周面に沿って形成される側面部１０３ａと底板１０１ａの上面部に形成される底面部１０３ｂを備えている。この基礎断熱部材１０３には、グラスウール，発泡ウレタン，発泡スチロール等が使用される。
【００１１】
図１において、１はべた基礎１０１の上に設けられた建物、２は建物１の１階の居室、３は建物１の２階の居室、４は１階の居室２の床部材（床板）である。尚、居室２，３は複数設けられている。２Ａは居室２，２間の間仕切り、３Ａは居室３，３間の間仕切りである。この間仕切り２Ａ，３Ａ等には図示を省略したガラリ等の通気路が設けられている。
【００１２】
また、５は玄関ホールや廊下或いは１階と２階につながる階段（図示せず）等が設けられる空間、６は空間５の床部材（床板）である。床部材４，６床部材４，６の下方、即ち床部材４，６とべた基礎１０１との間には周囲を気密に密閉した床下空間７が形成されている。
【００１３】
８は居室２，３と空間５とを区画する仕切壁、９は空間５の外壁、１０は居室２の天井２ａと居室３の床３ａとの間の上部空間である。尚、仕切壁８にも居室２，３と空間を連通させるガラリ等の通気路（図示せず）が設けられている。
【００１４】
更に、床部材４には居室２と床下空間７とを連通させる開口１１が形成され、床部材６の仕切壁８側の部分には空間５と床下空間７とを連通させる開口１２が形成されている。そして、開口１１には、ガラリ１３が居室２側に着脱可能に装着され、開口１２にはガラリ１４が空間５側に着脱可能に装着されている。
【００１５】
この床下空間７内には、べた基礎１０１上に配設した換気装置１５を有する。この換気装置１５は、べた基礎１０１上に固定したフィルタボックス１６，送風装置（換気装置本体）１７，分岐ボックス１８が配設されている。この送風装置１７は、図２（ａ）に示したように、内部が送風路１９ａと排気路１９ｂに区画されたケース１９と、送風路１９ａ内に配設された送風ファン２０を有する。この送風ファン２０は、図２（ｂ）に示したように、駆動モータ２０ａと、この駆動モータ２０ａで回転させられるファン２０ｂを有する。
【００１６】
この送風装置（換気装置本体）１７は、図２（ｂ）の送風路１９ａに外気を吸い込む外気吸込口１７ａと、送風路１９ａに吸い込んだ外気を吹き出す外気吹出口１７ｂを有する。また、送風装置（換気装置本体）１７は、図２（ａ）の排気路１９ｂに建物1内の室内空気を吸い込む室内空気吸込口１７ｃと、送風路１９ｂの室内空気を外部に排出させる室内空気排気口１７ｄを有する。
【００１７】
そして、図２（ｂ）に示したように、フィルタボックス１６流入側には一端を大気に連通させると共に外壁９内に配設した給気ダクト（内部が給気風路）２１が接続されている。また、フィルタボックス１６の流出側はダクト２２を介して送風路１９ａの外気吸込口１７ａに接続されている。
【００１８】
更に、給気ダクト２１の外気吸込口２１ａには、一端が空気ダクト１０２に接続された空気案内パイプ１０２ｂの他端部が接続されている。尚、空気ダクト１０２に接続された空気案内パイプ１０２ａの端部は、地表面１００ａ上に積る雪が開口端Ｓ１を閉塞することがない高さの位置に設けられている。尚、送風ファン２０は、駆動モータ２０ａでファン２０ｂを回転駆動させることにより、ダクト２２側からの外気を送風路１９ａ内に吸い込んで矢印Ａ３で示したようにダクト２３側に送風するようになっている。
【００１９】
また、送風路１９ａの外気吹出口１７ｂにはダクト２３を介して分岐ボックス１８が接続されている。この分岐ボックス１８内には、温度調整用（加温、冷却用）の空調装置（図示せず）が配設されている。
【００２０】
この分岐ボックス１８には図１に示したように換気装置１５の空気吹出口（給気口）１８ａ，１８ｂが設けられていて、この空気吹出口１８ａには空調装置（図示せず）で温度調整された空気を床下空間７へ吹き出す空気吹出ダクト２４が接続されている。また、分岐ボックス１８の空気吹出口１８ｂには、仕切壁８内に配設された給気ダクト２５の一端部が接続されている。これにより、分岐ボックス１８内の空調装置（図示せず）で温度調整された空気が給気ダクト２５に給気されるようになっている。この給気ダクト２５は上部空間１０内に配設された複数の分岐ダクト部２５ａを有し、各分岐ダクト部２５ａは２階の居室３に接続されている。
【００２１】
また、図１の開口１２は排気路１９ｂの室内空気吸込口１７ｃに排気ダクト２６を介して接続されていると共に、この排気路１９ｂの室内空気排気口１７ｄは外壁９内に配設した排気ダクト（内部が排気風路）２７を介して大気に連通させられている。尚、排気ダクト２６，排気路１９ｂ，排気ダクト２７は一連の排気風路を構成している。
【００２２】
この排気ダクト２７の空気排気口２７ａには融雪用パイプ（内部の風路が排気風路）２８が接続されている。この融雪用パイプ２８の排気口（吹出口）２８ａは、地表面１００ａ上の積雪部のうち、融雪したい部分に向けて水平方向に排気するように配設されている。
[作用]
次に、このような構成の建物の換気システムの作用を説明する。
(i).冬期（冬季）における換気
送風ファン２０を作動させると、外気が空気案内パイプ１０２ａに吸い込まれ、この吸い込まれた外気が空気ダクト１０２を介して給気ダクト２１に吸い込まれる。この際、空気ダクト１０２は、内部を流れる外気と地中１００ｂ内の地中熱との間で熱交換する。この外気の温度が地中１００ｂの地中熱の温度よりも低い場合には、空気ダクト１０２内を流れる外気が地中熱により暖められ、即ち、空気ダクト１０２内を流れる外気が地中１００ｂ内の地中熱により加熱されて暖められる。この暖められた外気は、空気案内パイプ１０２ａおよび給気ダクト２１を介してフィルタボックス１６内に吸い込まれる。この吸い込まれた給気の塵埃がフィルタボックス１６内の図示しないフィルタにより除去される。
【００２３】
この塵埃が除去された外気は、図１のダクト２２を介しての送風路１９ａ内に吸い込まれた後、送風ファン２０によりダクト２３を介して分岐ボックス１８内に給気される。
【００２４】
この分岐ボックス１８内に給気された外気の一部は、給気ダクト２５を介して２階の複数の居室３に矢印ＳＡ２で示したように給気される。また、分岐ボックス１８内に給気された外気の残りは、空気吹出ダクト２４を介して床下空間７内に吹き出された後、ガラリ１３を介して１階の複数の居室２内に矢印ＳＡ１で示したように給気される。
【００２５】
このような暖められた外気を居室２，３内に給気することで、居室２，３内の空気が暖められ、居室２，３内の温度を上げることができる。
【００２６】
一方、居室２，３内の空気は、居室２，３に外気を給気することで、間仕切り２Ａ，３Ａの図示しないガラリや仕切壁８の図示しないガラリ等を介して空間５内に排出される。
【００２７】
この空間５内に排出された空気は、矢印ＲＡで示したようにガラリ１４および排気ダクト２６を介して排気路１９ｂ内に流入する。そして、この排気路１９ｂ内に流入した空気は、図１の排気ダクト２７および融雪用パイプ２８を介して図３に矢印Ｂ（融雪）で示したように大気に排気される。この際、地表面１００ａ上に雪が積って積雪部２９となっている場合、融雪用パイプ２８から排気送風される空気の熱で積雪部２９が融雪される。尚、図３は、図１の換気装置としての送風装置１７と空気ダクト１０２との関係を概略的に示したもので、他の構成部分については図示を省略している。
(ii).夏期（夏季）における換気
送風ファン２０を作動させると、外気が空気案内パイプ１０２ａに吸い込まれ、この吸い込まれた外気が空気ダクト１０２を介して給気ダクト２１に吸い込まれる。この際、空気ダクト１０２は、内部を流れる外気と地中１００ｂ内の地中熱との間で熱交換する。この外気の温度は夏期は高いので、夏期には空気ダクト１０２内を流れる外気が地中熱により冷却され、即ち、空気ダクト１０２内を流れる外気が地中１００ｂ内に吸熱されて冷却される。この冷却された外気は、空気案内パイプ１０２ａおよび給気ダクト２１を介してフィルタボックス１６内に吸い込まれる。この吸い込まれた給気の塵埃がフィルタボックス１６内の図示しないフィルタにより除去される。
【００２８】
この塵埃が除去された外気は、図１のダクト２２を介しての送風路１９ａ内に吸い込まれた後、送風ファン２０によりダクト２３を介して分岐ボックス１８内に給気される。
【００２９】
この分岐ボックス１８内に給気された外気の一部は、給気ダクト２５を介して２階の複数の居室３に矢印ＳＡ２で示したように給気される。また、分岐ボックス１８内に給気された外気の残りは、吐出ダクト２４を介して床下空間７内に吐出された後、ガラリ１３を介して１階の複数の居室２内に矢印ＳＡ１で示したように給気される。
【００３０】
このような冷却された外気を居室２，３内に給気することで、居室２，３内の  空気が冷却され、居室２，３内の温度を下げることができる。
【００３１】
一方、居室２，３内の空気は、居室２，３に外気を給気することで、間仕切り２Ａ，３Ａの図示しないガラリや仕切壁８の図示しないガラリ等を介して空間５内に排出される。
【００３２】
この空間５内に排出された空気は、矢印ＲＡで示したようにガラリ１５および排気ダクト２６を介して排気路１９ｂ内に流入する。そして、この排気路１９ｂ内に流入した空気は、図１の排気ダクト２７および融雪用パイプ２８を介して図４に矢印Ｂ（排気）で示したように大気に排気される。尚、図４は、図１の換気装置としての送風装置１７と空気ダクト１０２との関係を概略的に示したもので、他の構成部分については図示を省略している。
（実施例２）
上述した実施例では、空気案内パイプ１０２ｂを給気ダクト２１に接続し、融雪用パイプ２８を排気ダクト２７に接続した構成としているが、必ずしもこの構成に限定されるものではない。
【００３３】
例えば、図５に示したように、空気案内パイプ１０２ａを排気ダクト２７に接続すると共に、空気案内パイプ１０２ａの開口端Ｓ１を地表面１００ａ上の積雪部のうち、融雪したい部分に向けて水平方向に排気するように配設した構成としても良い。
【００３４】
この構成では、送風ファン２０を作動させると、外気が給気ダクト２１を介してフィルタボックス１６内に吸い込まれる。この吸い込まれた給気の塵埃がフィルタボックス１６内の図示しないフィルタにより除去される。
【００３５】
この塵埃が除去された外気は、図５のダクト２２を介しての送風路１９ａ内に吸い込まれた後、送風ファン２０によりダクト２３を介して分岐ボックス１８内に給気される。
【００３６】
この分岐ボックス１８内に給気された外気の一部は、給気ダクト２５を介して２階の複数の居室３に矢印ＳＡ２で示したように給気される。また、分岐ボックス１８内に給気された外気の残りは、吐出ダクト２４を介して床下空間７内に吐出された後、ガラリ１３を介して１階の複数の居室２内に矢印ＳＡ１で示したように給気される。
【００３７】
一方、居室２，３内の空気は、居室２，３に外気を給気することで、間仕切り２Ａ，３Ａの図示しないガラリや仕切壁８の図示しないガラリ等を介して空間５内に排出される。
【００３８】
この空間５内に排出された空気は、矢印ＲＡで示したように排気ダクト２６を介して排気路１９ｂ内に流入する。そして、この排気路１９ｂ内に流入した空気は、図１の排気ダクト２７および空気案内パイプ１０２ｂ，空気ダクト１０２および空気案内パイプ１０２ａを介して、図６の矢印Ｃで示したように大気に排気される。この際、地表面１００ａ上に雪が積って積雪部２９となっている場合、空気案内パイプ１０２ｂから排気送風される空気の熱で積雪部２９が融雪される。
（実施例３）
実施例１，実施例２における送風装置１７の送風ファン２０の駆動モータ２０ａを直流モータにすると共に、この駆動モータ２０ａの回転駆動方向を図７の制御部（制御手段、送風切換手段）３０で切り換え制御可能に設けた構成としても良い。
【００３９】
この場合、駆動モータ２０ａの回転方向を変えるこで、図７の矢印Ａ３で示した方向と矢印Ａ４で示した方向とのいずれか一方に送風方向を切り換えて、換気時における地中１００ｂに埋設した空気ダクト１０２の利用条件を変えることができる。
（実施例４）
実施例３では、駆動モータ２０ａの回転駆動方向を図７の制御部（制御手段）３０で切り換え制御可能に設けた構成として、換気時における地中１００ｂに埋設した空気ダクト１０２の利用条件を変えるようにした例を示したが、必ずしもこれに限定されるものではない。
【００４０】
例えば、図５の換気装置１５において、送風装置１７のフィルタボックス１６が接続される接続口（第１の接続口）を外気吸込口１６ａとし、送風装置１７の排気ダクト（排気風路）２７が接続される接続口（第2の接続口）を上述したように室内空気排気口１７ｄとしたとき、給気ダクト２１および排気ダクト２７と空気ダクト１０２および融雪用パイプ２８への接続状態を図８の風路切換弁（送風切換手段）４０で行うようにすることもできる。
【００４１】
この構成によれば、冬期において図６に示したように地表面１００ａ上に雪が積って積雪部２９となっている場合、風路切換弁（送風切換手段）４０により、給気ダクト２１をフィルタボックス１６に接続する共に、排気ダクト２７を室内空気排気口１７ｄに接続する。この接続状態では、排気ダクト２７を介して空気案内パイプ１０２ｂから排気送風される室内空気を図６に示したように空気ダクト（熱交換装置）１０２および空気案内パイプ１０２ａを介して開口Ｓ１から積雪部２９に向けて吹き出すことができる。この際、室内空気が地中熱より低い場合には、室内空気が地中熱で暖められて、この暖められた空気が空気案内パイプ１０２ａの開口Ｓ１から積雪部２９に吹き付けられて、積雪部２９の雪が融雪される。また、室内空気が地中熱より高い場合には、この空気が空気案内パイプ１０２ａの開口Ｓ１から積雪部２９に吹き付けられて、積雪部２９の雪が融雪される。
【００４２】
また、このような構成において、夏期に風路切換弁（送風切換手段）４０により、給気ダクト２１を送風装置１７の室内空気排気口（第２の接続口）１７ｄに切り換え接続し、且つ排気ダクト２７を送風装置１７の外気吸込口（第１の接続口）１６ａに接続することで、給気ダクト２１を排気ダクトとして用いると共に、排気ダクト２７を給気ダクトとして用いることができる。この際、排気ダクト２７を介して吸い込まれる外気は、地中に埋設された空気ダクト（熱交換装置）１０２を介して冷却されて、空気案内パイプ１０２ｂおよびフィルタボックス１６を介して送風装置１７に吸い込まれた後、建物1内の換気に用いられる。このようにして、夏期には地中熱で冷却した外気で建物１内の換気を行うことにより、建物1内を外気により冷房できる。
（実施例５）
また、実施例１の図４に対応する図９に示したように、換気システムの送風装置１７の補助をするために、補助送風ファン５０を送風経路途中である給気ダクト２１の途中に設けるか、又は、波線のように補助送風ファン６０を送風経路途中である空気案内パイプ１０２ｂの吸込部に設けるかしても良い。
【００４３】
また、図１０に示したように、補助送風ファン５０，６０の両方を設けた構成としても良い。
＜補足説明１＞
以上説明したように、この発明の実施の形態の地中熱利用の換気システムを用いた融雪装置は、空気を吸い込んで送風する換気装置１５と、前記換気装置１５に連通し建物１外の外気を前記建物１内に給気する給気風路（給気ダクト２１、空気案内パイプ１０２ａ，１０２ｂ）と、前記換気装置１５に連通前記し建物１内の空気を前記建物１外に排気する排気風路（排気ダクト２７，融雪用パイプ２８）と、地中に埋設され且つ前記給気風路（給気ダクト２１、空気案内パイプ１０２ａ，１０２ｂ）と排気風路（排気ダクト２７，融雪用パイプ２８）の一方の途中に設けられた熱交換装置（空気ダクト１０２）と、を備えている。しかも、排気風路（排気ダクト２７，融雪用パイプ２８）の排気口２８ａは前記建物１外部の積雪部に向けて排出可能に設けられている。
【００４４】
この構成によれば、建物１内の空気の熱および地中熱を同時に融雪に利用できる。
＜補足説明２＞
この発明の実施の形態の地中熱利用の換気システムを用いた融雪装置において、前記換気装置１５の送風方向を切り換える送風切換手段（制御部３０，風路切換弁４０）を設けている。
【００４５】
この構成によれば、送風方向を切り換えることで、冬期には建物内の空気の熱および地中熱を同時に融雪に利用したり、夏期には建物内の換気時に地中熱を建物内の空気の冷却に利用したりすることができる。
＜補足説明３＞
この発明の実施の形態の地中熱利用の換気システムを用いた融雪装置において、前記送風切換手段は前記換気装置１５内の風ファン２０ｂを駆動する駆動モータ２０ａの回転方向を切り替え制御する制御手段（制御部３０）である。
【００４６】
この構成によれば、送風方向の切り換えを簡単な構成でおこなって、冬期には建物内の空気の熱および地中熱を同時に融雪に利用したり、夏期には建物内の換気時に地中熱を建物内の空気の冷却に利用したりすることができる。
＜補足説明４＞
この発明の実施の形態の地中熱利用の換気システムを用いた融雪装置において、前記換気装置１５は前記給気風路（給気ダクト２１、空気案内パイプ１０２ａ，１０２ｂ）が接続される第１の接続口と前記排気風路の他方が接続される第２の接続口を備え、前記送風切り換え手段は前記給気風路（給気ダクト２１、空気案内パイプ１０２ａ，１０２ｂ）および前記排気風路（排気ダクト２７，融雪用パイプ２８）に対して前記第１の接続口および前記第２の接続口の接続を切り換え接続をさせる風路切換弁（４０）である。
【００４７】
この構成によれば、送風方向の切り換えを簡単な構成でおこなって、冬期には建物内の空気の熱および地中熱を同時に融雪に利用したり、夏期には建物内の換気時に地中熱を建物内の空気の冷却に利用したりすることができる。
＜補足説明５＞
この発明の実施の形態の地中熱利用の換気システムを用いた融雪装置において、前記熱交換装置（空気ダクト１０２）は前記給気風路（給気ダクト２１、空気案内パイプ１０２ａ，１０２ｂ）の途中に設けられている。
【００４８】
この構成によれば、送風方向の切り換えを簡単な構成でおこなって、冬期には建物内の空気の熱および地中熱を同時に融雪に利用したり、夏期には建物内の換気時に地中熱を建物内の空気の冷却に利用したりすることができる。
＜補足説明６＞
この発明の実施の形態の地中熱利用の換気システムを用いた融雪装置において、前記熱交換装置（空気ダクト１０２）は前記排気風路（排気ダクト２７，融雪用パイプ２８）の途中に設けられている。
【００４９】
この構成によれば、送風方向の切り換えを簡単な構成でおこなって、冬期には建物内の空気の熱および地中熱を同時に融雪に利用したり、夏期には建物内の換気時に地中熱を建物内の空気の冷却に利用したりすることができる。
【符号の説明】
【００５０】
１  建物
１５  換気装置
２０ａ 駆動モータ
２０ｂ ファン
２１ 給気ダクト（給気風路）
２７ 排気ダクト（排気風路）
２８ 融雪用パイプ（排気風路）
２８ａ 排気口
３０ 制御部
４０ 風路切換弁
１０２ 空気ダクト（熱交換パイプ、熱交換装置）
１０２ａ，１０２ｂ 空気案内パイプ（給気風路）
【図１】
2014081099.tif 000003
【図２】
2014081099.tif 000004
【図３】
2014081099.tif 000005
【図４】
2014081099.tif 000006
【図５】
2014081099.tif 000007
【図６】
2014081099.tif 000008
【図７】
2014081099.tif 000009
【図８】
2014081099.tif 000010
【図９】
2014081099.tif 000011
【図１０】
2014081099.tif 000012